(57)【要約】【課題】遊技店の従業員の閉店業務を簡素化することを課題とする。【解決手段】カードＴ／Ｃ５０は、一般カードや会員カードなどの各種のカードの取扱い制御またはパチンコ玉の投出制御に係るＣＲユニットの運用を制限する運用制限項目と、その運用制限項目に関する運用制限を開始する運用制限開始時刻とを対応付けた運用制限設定を作成してＣＲユニットへ配信する。ＣＲユニットは、カードＴ／Ｃ５０から配信された運用制限設定にしたがってＣＲユニットの運用制限を実行する。【選択図】図２
2011120692.tif 000002
【特許請求の範囲】
【請求項１】
遊技機に対応して設けられる各台対応装置を管理する遊技管理装置であって、
前記各台対応装置による記録媒体の取扱い制御又は遊技媒体の投出制御に係る前記各台対応装置の運用を制限する運用制限項目と、当該運用制限項目に関する運用制限を開始する運用制限開始時刻とを対応付けた運用制限設定を作成する運用制限設定作成手段
を有することを特徴とする遊技管理装置。
【請求項２】
前記運用制限設定作成手段は、複数の運用制限項目それぞれを異なる運用制限開始時間に対応付けることにより複数の運用制限設定を段階的に作成することを特徴とする請求項１に記載の遊技管理装置。
【請求項３】
前記運用制限設定作成手段は、所定の条件ごとに前記運用制限設定を作成することを特徴とする請求項１または２に記載の遊技管理装置。
【請求項４】
前記運用制限項目ごとに遊技店の閉店時刻からの時間間隔を対応付けて記憶する時間間隔記憶手段と、
遊技店の閉店時刻を受け付ける閉店時刻受付手段とをさらに有し、
前記運用制限設定作成手段は、
前記閉店時刻受付手段によって受け付けられた閉店時刻と、前記時間間隔記憶手段によって記憶された時間間隔とに基づき、各運用制限項目ごとの運用制限開始時刻を算出することを特徴とする請求項１、２または３に記載の遊技管理装置。
【請求項５】
前記運用制限設定作成手段は、前記運用制限開始時刻を所定の時間範囲に限って前記運用制限設定を作成することを特徴とする請求項１〜４のいずれか一つに記載の遊技管理装置。
【請求項６】
遊技機に対応して設けられる各台対応装置であって、
記録媒体の取扱い制御又は遊技媒体の投出制御に係る前記各台対応装置の運用を制限する運用制限項目と、当該運用制限項目に関する運用制限を開始する運用制限開始時刻とが対応付けられた運用制限設定を記憶する運用制限設定記憶手段と、
前記運用制限設定記憶手段によって記憶された運用制限設定にしたがって前記各台対応装置の運用制限を実行する運用制限処理手段と
を有することを特徴とする各台対応装置。
【請求項７】
遊技機に対応して設けられており、記録媒体の取扱い制御及び遊技媒体の投出制御を行う各台対応装置を管理する遊技管理装置に適用する運用制限設定方法であって、
前記記録媒体の取扱い制御又は前記遊技媒体の投出制御に係る前記各台対応装置の運用を制限する運用制限項目と、当該運用制限項目に関する運用制限を開始する運用制限開始時刻とを対応付けた運用制限設定を作成する運用制限設定作成工程
を含んだことを特徴とする運用制限設定方法。
【発明の詳細な説明】
【技術分野】
【０００１】
本発明は、遊技機に対応して設けられる各台対応装置を管理する遊技管理装置、各台対応装置及びその運用制限設定方法に関する。
【背景技術】
【０００２】
パチンコ遊技やパチスロ遊技を提供する遊技店では、遊技用記録媒体に関連付けられた価値データ（例えば、貨幣の金額または金額に相当する度数）に基づいて遊技媒体を貸し出すカード処理ユニット（以下、ＣＲユニットと言う）が導入される。
【０００３】
かかるＣＲユニットには、例えば特許文献１のように、所定の会員登録を行った遊技客（以下、会員と言う）に付与される会員用記録媒体に電子データとして関連付けられた貯遊技媒体を再び遊技に使用できるように遊技媒体現物として払い戻す処理、いわゆる再プレイを併せて行うものも存在する。
【０００４】
このように、遊技客は、ＣＲユニットを介して遊技媒体を借り受けたり、また、貯遊技媒体の払い戻しを受けたりすることで、遊技に必要な遊技媒体を入手して遊技を行う。
【０００５】
ところで、遊技店には、所定の閉店時刻までに遊技客を退店させて営業を終了することが法的に要請されている。ところが、このように時刻を区切って閉店する場合には、遊技店および遊技客が不利益を被る場合もある。例えば、複数の特賞のうち特定の特賞が当選した場合に次回に特賞が当選するまで特賞の当選確率を変動させるシステム、いわゆる確率変動を搭載したパチンコ機を閉店間際まで稼働させると、遊技客は、遊技機が確率変動にある状態で閉店をむかえ、確率変動に伴う利益を受けられないまま退転せざるを得ない不利益を被る。このため、遊技客は、閉店時刻間際まで安心して遊技を行うことができない。また、遊技店は、遊技客が閉店時刻間際の遊技を手控えることで、遊技機の稼働率の低下という形で不利益を被る。
【０００６】
このことから、例えば特許文献２のように、閉店時刻になった時点で確率変動の状態にある遊技機で遊技する遊技客に確率変動で得られるはずであった利益を補償する閉店補償を行う遊技場管理システムが提案されている。
【先行技術文献】
【特許文献】
【０００７】
【特許文献１】特開２００１−９６０５４号公報
【特許文献２】特開２００７−８９８７７号公報
【発明の概要】
【発明が解決しようとする課題】
【０００８】
しかしながら、上述した従来技術では、閉店時刻までに遊技客を退店させるために、遊技店の従業員が閉店時刻間際に店内にいる遊技客に対して貸し出しや再プレイを介して遊技媒体を入手しないように口頭や店内放送で告知する必要がある。
【０００９】
このため、上記の従来技術では、従業員が閉店時に実施される他の業務、例えば店内の清掃や遊技機の調整に併せて告知業務を行わねばならず、結果として、遊技店の従業員の閉店業務が増大してしまうという問題がある。
【００１０】
そこで、本発明は、上述した従来技術による課題（問題点）を解消するためになされたものであり、遊技店の従業員の閉店業務を簡素化することができる遊技管理装置、各台対応装置及びその運用制限設定方法を提供することを目的とする。
【課題を解決するための手段】
【００１１】
上述した課題を解決し、目的を達成するために、本発明に係る遊技管理装置は、遊技機に対応して設けられる各台対応装置を管理する遊技管理装置であって、前記各台対応装置による記録媒体の取扱い制御又は遊技媒体の投出制御に係る前記各台対応装置の運用を制限する運用制限項目と、当該運用制限項目に関する運用制限を開始する運用制限開始時刻とを対応付けた運用制限設定を作成する運用制限設定作成手段を有することを特徴とする。
【００１２】
また、本発明に係る遊技管理装置は、上記の発明において、前記運用制限設定作成手段は、複数の運用制限項目それぞれを異なる運用制限開始時間に対応付けることにより複数の運用制限設定を段階的に作成することを特徴とする。
【００１３】
また、本発明に係る遊技管理装置は、上記の発明において、前記運用制限設定作成手段は、所定の条件ごとに前記運用制限設定を作成することを特徴とする。
【００１４】
また、本発明に係る遊技管理装置は、上記の発明において、前記運用制限項目ごとに遊技店の閉店時刻からの時間間隔を対応付けて記憶する時間間隔記憶手段と、遊技店の閉店時刻を受け付ける閉店時刻受付手段とをさらに有し、前記運用制限設定作成手段は、前記閉店時刻受付手段によって受け付けられた閉店時刻と、前記時間間隔記憶手段によって記憶された時間間隔とに基づき、各運用制限項目ごとの運用制限開始時刻を算出することを特徴とする。
【００１５】
また、本発明に係る遊技管理装置は、上記の発明において、前記運用制限設定作成手段は、前記運用制限開始時刻を所定の時間範囲に限って前記運用制限設定を作成することを特徴とする。
【００１６】
また、本発明に係る各台対応装置は、遊技機に対応して設けられる各台対応装置であって、記録媒体の取扱い制御又は遊技媒体の投出制御に係る前記各台対応装置の運用を制限する運用制限項目と、当該運用制限項目に関する運用制限を開始する運用制限開始時刻とが対応付けられた運用制限設定を記憶する運用制限設定記憶手段と、前記運用制限設定記憶手段によって記憶された運用制限設定にしたがって前記各台対応装置の運用制限を実行する運用制限処理手段とを有することを特徴とする。
【００１７】
また、本発明に係る運用制限設定方法は、遊技機に対応して設けられており、記録媒体の取扱い制御及び遊技媒体の投出制御を行う各台対応装置を管理する遊技管理装置に適用する運用制限設定方法であって、前記記録媒体の取扱い制御又は前記遊技媒体の投出制御に係る前記各台対応装置の運用を制限する運用制限項目と、当該運用制限項目に関する運用制限を開始する運用制限開始時刻とを対応付けた運用制限設定を作成する運用制限設定作成工程を含んだことを特徴とする。
【発明の効果】
【００１８】
本発明によれば、記録媒体の取扱い制御又は遊技媒体の投出制御に係る各台対応装置の運用を制限する運用制限項目と、当該運用制限項目に関する運用制限を開始する運用制限開始時刻とを対応付けた運用制限設定を作成するように構成したので、遊技店の従業員の閉店業務を簡素化することが可能になるという効果を奏する。
【００１９】
また、本発明によれば、複数の運用制限項目それぞれを異なる運用制限開始時間に対応付けることにより複数の運用制限設定を段階的に作成するように構成したので、各台対応装置の全運用を一律に制限するのではなく、運用制限を段階的に実施することができ、柔軟な運用制限設定が可能になるという効果を奏する。
【００２０】
また、本発明によれば、所定の条件ごとに運用制限設定を作成するように構成したので、異なる条件間で同一の運用制限項目につき異なる運用制限開始時刻を設定することができ、運用制限を多面的に設定することが可能になるという効果を奏する。
【００２１】
また、本発明によれば、運用制限項目ごとに遊技店の閉店時刻からの時間間隔を対応付けて記憶し、遊技店の閉店時刻を受け付け、受け付けた閉店時刻と、記憶した時間間隔とに基づき、各運用制限項目ごとの運用制限開始時刻を算出するように構成したので、閉店時刻の入力を受け付けるだけで運用制限設定を作成することができ、運用制限の設定作業を効率化することが可能になるという効果を奏する。
【００２２】
また、本発明によれば、運用制限開始時刻を所定の時間範囲に限って運用制限設定を作成するように構成したので、閉店時刻からの一定範囲以外に運用制限開始時刻が設定される誤操作を防止することが可能になるという効果を奏する。
【００２３】
また、本発明によれば、記録媒体の取扱い制御又は遊技媒体の投出制御に係る各台対応装置の運用を制限する運用制限項目と、当該運用制限項目に関する運用制限を開始する運用制限開始時刻とが対応付けられた運用制限設定を記憶し、記憶した運用制限設定にしたがって各台対応装置の運用制限を実行するように構成したので、遊技店の従業員の閉店業務を簡素化することが可能になるという効果を奏する。
【図面の簡単な説明】
【００２４】
【図１】図１は、本実施例に係る遊技店の店内システムのシステム構成図である。
【図２】図２は、本実施例に係るカードＴ／Ｃの構成を示すブロック図である。
【図３】図３は、運用制限テンプレートの一例を示す図である。
【図４】図４は、作成ルールの一例を示す図である。
【図５】図５は、運用制限設定テーブルの一例を示す図である。
【図６】図６は、運用制限設定テーブルの一例を示す図である。
【図７】図７は、運用制限設定テーブルの一例を示す図である。
【図８】図８は、運用制限設定テーブルの一例を示す図である。
【図９】図９は、運用制限設定の編集画面の一例である。
【図１０】図１０は、運用制限設定の編集画面の一例である。
【図１１】図１１は、本実施例に係るＣＲユニットの外観を示した正面図である。
【図１２】図１２は、本実施例に係るＣＲユニットの内部構成を示す機能ブロック図である。
【図１３】図１３は、本実施例に係る運用制限設定作成処理の手順を示すフローチャートである。
【図１４】図１４は、本実施例に係る運用制限段階引上げ処理の手順を示すフローチャートである。
【図１５】図１５は、本実施例に係る運用制限処理の手順を示すフローチャートである。
【図１６】図１６は、本発明の応用例を説明するための説明図である。
【発明を実施するための形態】
【００２５】
以下に添付図面を参照して、本発明に係る遊技管理装置、各台対応装置及びその運用制限設定方法の好適な実施例を詳細に説明する。なお、以下では、本発明をパチンコ遊技を提供する各台計数システムに適用する場合について説明するが、パチンコ遊技だけでなくパチスロ遊技にも適用可能であり、また、各台計数システム以外の遊技システムにも適用できる。
【実施例１】
【００２６】
まず、本実施例に係る各台計数システムのシステム構成について説明する。図１は、本実施例に係る遊技店の店内システムのシステム構成図である。同図に示すように、遊技店には、計数機能付きＣＲユニット１０（以下、単にＣＲユニットと言う）と、パチンコ機２０と、島コントローラ３０と、会員Ｔ／Ｃ（terminal  controller）４０と、カードＴ／Ｃ５０とが設けられている。
【００２７】
かかる店内システムの接続構成として、ＣＲユニット１０は、パチンコ機２０に接続される。また、島コントローラ３０は、複数のＣＲユニット１０に接続される。また、会員Ｔ／Ｃ４０およびカードＴ／Ｃ５０は、複数の島コントローラ３０に接続される。
【００２８】
このうち、ＣＲユニット１０は、遊技店内の各パチンコ機２０に併設されるカード処理ユニットであり、本実施例では、パチンコ機２０の下皿から投入されるパチンコ玉を計数する計数部をさらに有する。具体的には、自装置が接続されたパチンコ機２０で遊技者が獲得したパチンコ玉を計数した上で、カード返却時には、持ち玉返却等により電子データからパチンコ玉の現物に還元して消化された計数値を除き、その時点で残存している残存計数値を持ち玉として一般カードや会員カード等のカードに関連付け、持ち玉を関連付けたカードを発行（返却）する。
【００２９】
ＣＲユニット１０は、従来と同様、現金を用いたり、一般カードや会員カード等のカードに価値付けられたプリペイド残額を用いた玉貸しも行う。従って、一般カードには、持ち玉とプリペイド残額の２つの遊技価値が関連付けられ、会員カードには、これら２つの遊技価値の他、貯玉がさらに関連付けられる。なお、以下では、一般カードと会員カードを総称する場合には単にカードと記載し、このカードに記録される識別情報をカードＩＤと記載することとする。
【００３０】
また、ＣＲユニット１０は、会員Ｔ／Ｃ４０に預け入れられた貯玉を引き落とすいわゆる再プレイの機能も有する。具体的には、ユニット内部に受入中の会員カードに記録された会員ＩＤに対応する貯玉残高から、予め規定された再プレイ玉数を減算するように会員Ｔ／Ｃ４０に依頼し、会員Ｔ／Ｃ４０によって再プレイ玉数の減算が完了された後にパチンコ機２０に玉投出指示を行う。
【００３１】
パチンコ機２０は、パチンコ玉を遊技領域に発射して遊技者がパチンコ遊技を行う装置であり、本実施例では、ＣＲユニット１０と接続されるいわゆるＣＲパチンコ機であるものとしている。
【００３２】
島コントローラ３０は、周囲を通路に囲まれたスペース（遊技島）に設けられた一群のＣＲユニット１０及びパチンコ機２０を束ねる中継装置である。
【００３３】
会員Ｔ／Ｃ４０は、図示しない貯玉管理テーブルを用いて、会員カードに関連付けられた貯玉を管理する管理装置である。この貯玉管理テーブルは、会員ＩＤに対応付けて貯玉を記憶する貯玉管理テーブルを記憶している。例えば、図示しない景品カウンタに配設される景品管理装置等の店内機器から貯玉加算依頼（カウンタ貯玉依頼）を受け付けた場合には、当該更新依頼に含まれる会員ＩＤに対応する貯玉残高に持ち玉などの加算依頼玉数を加算更新し、また、ＣＲユニット１０から貯玉減算依頼（再プレイ依頼）を受け付けた場合には、当該更新依頼に含まれる会員ＩＤに対応する貯玉残高から再プレイの単位玉数などの減算依頼玉数を減算更新する。
【００３４】
さらに、会員Ｔ／Ｃ４０では、会員である遊技客の持ち玉については遊技店が予め定めた所定のタイミング（例えば、閉店処理時や翌営業日の開店処理時など）に、会員ＩＤに対応付けて記憶されている持ち玉を当該会員ＩＤの貯玉残高に移行する。これによって、遊技店が再プレイに手数料を課す運営を行っている場合でも、持ち玉の有効期限内は持ち玉として使用させ、持ち玉が日を跨ぎ無効になるタイミング以降には貯玉として使用させる。
【００３５】
カードＴ／Ｃ５０は、一般カード及び会員カードに関連付けられたプリペイド残額および持ち玉などの遊技価値を管理する管理装置である。具体的には、一般カードの識別情報（一般カードＩＤ）または会員ＩＤに対応付けてプリペイド残額を記憶するプリペイド残額管理テーブルと、一般カードＩＤまたは会員ＩＤに対応付けて持ち玉を記憶する持ち玉管理テーブルとを記憶している。なお、カードＴ／Ｃ５０は、特許請求の範囲における遊技管理装置に含まれる。
【００３６】
カードＴ／Ｃ５０は、プリペイド残額管理テーブルを用いて、プリペイド残額の更新処理を行う。具体的には、ＣＲユニット１０からプリペイド残額の加算依頼を受け付けた場合に、当該加算依頼に含まれるカードＩＤに対応するプリペイド残額に挿入紙幣金額などの価値付け依頼金額を加算更新する。また、プリペイド残額の減算依頼を受け付けた場合には、当該減算依頼に含まれるカードＩＤに対応するプリペイド残額から玉貸しの貸出単位金額等の減算依頼金額を減算更新する。
【００３７】
また、カードＴ／Ｃ５０は、持ち玉管理テーブルを用いて、持ち玉の更新処理を行う。具体的には、ＣＲユニット１０から持ち玉の登録依頼を受け付けた場合に、当該登録依頼に含まれる残存計数値などの登録依頼玉数をカードＩＤに対応付けて登録する。一方、ＣＲユニット１０から持ち玉の問合せを受け付けた場合には、当該問合せに含まれるカードＩＤに対応する持ち玉数を問合せ元のＣＲユニット１０に応答する。
【００３８】
このように、本実施例では、プリペイド残額については、ＣＲユニット１０及びカードＴ／Ｃ５０の間で同期を取りつつ最新のプリペイド残額を両者によって管理することとする。一方、持ち玉については、カード返却操作が行われるまでＣＲユニット１０内で持ち玉データをローカルに管理し、カード返却時に持ち玉をカードＩＤに対応付けてカードＴ／Ｃ５０に通知することとする。
【００３９】
なお、本実施例では、持ち玉とカードの関連付けをカード返却時に行うこととするが、必ずしもカード返却時に限定して行う必要はなく、ＣＲユニット１０内で持ち玉を更新するタイミングや所定の周期（例えば、１分間隔）等に合わせて随時行うこともできる。
【００４０】
ここで、本実施例に係るカードＴ／Ｃ５０は、一般カードや会員カードなどの各種のカードの取扱い制御またはパチンコ玉の投出制御に係るＣＲユニット１０の運用を制限する運用制限項目と、その運用制限項目に関する運用制限を開始する運用制限開始時刻とを対応付けた運用制限設定を作成する。
【００４１】
すなわち、カードの取扱い制御に係るＣＲユニット１０の運用制限項目としては、ＣＲユニット１０がカードの受入を禁止する「カード挿入禁止」、ＣＲユニット１０がカードの返却（排出）を禁止する「カード排出禁止」やＣＲユニット１０が現金の受入を禁止する「入金禁止」などが挙げられる。また、パチンコ玉の投出制御に係るＣＲユニット１０の運用制限項目としては、ＣＲユニット１０がプリペイド残額と引き換えに貸し玉を投出することを禁止する「カード残額使用禁止」、ＣＲユニット１０が持ち玉を投出することを禁止する「持ち玉使用禁止」やＣＲユニット１０が再プレイにより貯玉を投出することを禁止する運用制限項目「再プレイ禁止」などが挙げられる。
【００４２】
カードＴ／Ｃ５０では、これら「カード挿入禁止」、「カード排出禁止」、「入金禁止」、「カード残額使用禁止」「持ち玉使用禁止」や「再プレイ禁止」などの運用制限項目とその運用制限項目に関する運用制限を開始する運用制限開始時刻との対応付けを規定することによって運用制限設定を作成する。例えば、この運用制限設定をＣＲユニット１０へ配信しておけば、ＣＲユニット１０は、運用制限開始時刻に至った時点でそれに紐付く運用制限項目に関する処理を自動的に禁止することができる。
【００４３】
このため、本実施例に係るカードＴ／Ｃ５０は、遊技店の従業員が閉店時刻間際に店内にいる遊技客に対して貸し出しや再プレイを介して遊技媒体を入手しないように口頭や店内放送で告知する告知業務を不要化できる。その結果、従業員は、閉店時に店内の清掃や遊技機の調整などの他の業務を行うだけでよくなる。したがって、本実施例に係るカードＴ／Ｃ５０によれば、遊技店の従業員の閉店業務を簡素化することが可能になる。
【００４４】
続いて、本実施例に係る店内システムに含まれる各装置の構成について説明する。なお、ここでは、カードＴ／Ｃ５０の構成を説明してからＣＲユニット１０の構成を説明することとする。
【００４５】
［カードＴ／Ｃの構成］
図２は、本実施例に係るカードＴ／Ｃの構成を示すブロック図である。図２に示すように、このカードＴ／Ｃ５０は、入力部５１と、表示部５２と、通信Ｉ／Ｆ（interface）部５３と、記憶部５４と、制御部５８とを有する。
【００４６】
このうち、入力部５１は、各種情報、例えば運用制限項目の選択や運用制限開始時刻の入力を受け付ける入力デバイスであり、一例としては、キーボードやマウスなどが挙げられる。なお、後述の表示部５２も、マウスと協働して、ポインティングデバイス機能を実現する。
【００４７】
表示部５２は、各種の情報、例えば運用制限設定の作成メニューの画面を表示する表示デバイスであり、一例としては、モニタ、ディスプレイやタッチパネルなどが挙げられる。また、通信Ｉ／Ｆ部５３は、ＣＲユニット１０、島コントローラ３０や会員Ｔ／Ｃ４０などの他の装置との通信を行うためのインタフェースである。
【００４８】
記憶部５４は、例えば、フラッシュメモリ（flash  memory）などの半導体メモリ素子、または、ハードディスク、光ディスクなどの記憶装置である。なお、記憶部５４は、上記の種類の記憶装置に限定されるものではなく、ＲＡＭ（Random  Access  Memory)、ＲＯＭ（Read  Only  Memory)であってもよい。
【００４９】
記憶部５４は、制御部５８で実行される各種プログラム（例えば、プリペイド残額の更新や持ち玉の更新）やそのプログラムの実行に必要なデータ（例えば、上述のプリペイド残額管理テーブルや持ち玉管理テーブルなど）を記憶する。このほか、記憶部５４は、運用制限テンプレート５５と、作成ルール５６と、運用制限設定テーブル５７とを記憶する。
【００５０】
運用制限テンプレート５５は、運用制限設定のひな型とするデータであり、図３に示すように、運用制限パターン別に運用制限開始時刻および運用制限項目を含む複数の運用制限設定のテンプレートが対応付けられたデータである。この運用制限テンプレート５５は、運用制限設定の作成時に管理者による編集を受け付けることでイベントなどの営業戦略に沿ってカスタマイズさせたり、また、そのまま運用制限設定として流用させたりすることで、運用制限設定の作成を補助するためのものである。
【００５１】
ここで、かかる運用制限パターンは、運用制限設定を適用する条件をパターン化したものである。図３の例では、ＣＲユニット１０を利用する遊技客が非会員であり、かつ持ち玉を保有しない場合に適用される運用制限設定のテンプレートを示し、時刻が２２時３５分になるとＣＲユニット１０における「入金運用」の一部として高額紙幣の入金を禁止し、２２時４０分になると一般カードの挿入を禁止し、また、２２時４５分になると一般カードのプリペイド残額を使用することを禁止することを示す。このようなテンプレートを設けることで、最初から最後まで管理者に運用制限の設定内容を入力させずに済み、運用制限設定を効率よく行うことができる。なお、図３の例では、運用制限パターンとして「非会員＋持ち玉なし」の場合を図示しているが、例えば、他に「非会員＋持ち玉あり」、「一般会員」や「常連会員」などの他の運用制限パターン別にテンプレートが記憶部５４に登録される。
【００５２】
作成ルール５６は、運用制限設定の作成にあたって規定されたルールに関するデータである。例えば、図４に示す例では、異なる複数の運用制限パターン別に運用制限設定を作成する場合に運用制限パターン間で同一の運用制限項目に対して運用制限開始時刻を定める際のルールが条件別に規定されている。この作成ルール５６にしたがって運用制限設定を作成すれば、閉店時刻により近付けて遊技させることができる運用制限パターンほど同一の運用制限項目に関する運用制限開始時刻をより遅く定めることができる。
【００５３】
この図４の例では、ＣＲユニット１０に持ち玉がない場合には持ち玉がある場合よりも運用制限開始時刻を「前」にする規定、ＣＲユニット１０を非会員が利用する場合には会員が利用する場合よりも運用制限開始時刻を「前」にする規定、また、ＣＲユニット１０を利用する会員が一般会員である場合には常連会員が利用する場合よりも運用制限開始時刻を「前」にする規定がなされている。なお、図４では図示していないが、記憶部５４に記憶される作成ルールはこれに限定されるものではなく、運用制限開始時刻にルールを規定することもできる。例えば、誤操作防止の観点から、運用制限開始時刻を２１時〜２４時までとする規定などの他の作成ルールを格納しておくこともできる。
【００５４】
運用制限設定テーブル５７は、運用制限開始時刻および運用制限項目を対応付けて記憶したテーブルであり、図５〜図８に示すように、運用制限パターン別にテーブルを記憶する。運用制限設定テーブル５７は、運用制限テンプレート５５のひな型とは異なり、実際に運用制限に使用される。
【００５５】
かかるパターン別のテーブル態様の一例として、記憶部５４は、運用制限パターン１「非会員＋持ち玉なし」の運用制限設定を記憶する運用制限設定テーブル５７ａ（図５参照）と、運用制限パターン２「非会員＋持ち玉あり」の運用制限設定を記憶する運用制限設定テーブル５７ｂ（図６参照）と、運用制限パターン３「一般会員」の運用制限設定を記憶する運用制限設定テーブル５７ｃ（図７参照）と、運用制限パターン４「常連会員」の運用制限設定を記憶する運用制限設定テーブル５７ｄ（図８参照）とを有する。
【００５６】
ここで、これらの運用制限設定テーブル５７は、閉店時刻を２３時００分とした時に少なくとも非会員が利用するＣＲユニット１０に併設されるパチンコ機２０については閉店時刻の１０分前である２２時５０分までに稼働を停止し、２３時００分までに全遊技客を退店させることを目標に設定がなされたものとして以下の説明を行う。
【００５７】
図５に示す運用制限パターン１の例では、ＣＲユニット１０を利用する遊技客が非会員であり、かつ持ち玉がない場合には、時刻が２２時３０分になるとＣＲユニット１０における「入金運用」の一部として高額紙幣（例えば２千円札以上の紙幣）の入金を禁止し、２２時４３分になると一般カードの挿入を禁止し、２２時４５分になると一般カードのプリペイド残額を使用することを禁止し、さらに、２３時００分になるとカードの排出（返却）を禁止することを示す。図５の例は、図３に示したテンプレートとの間で一部の運用項目の運用制限開始時刻が異なるとともに、運用項目「カード排出禁止」及び運用制限開始時刻「２３時００分」が編集により追加された点が異なる。
【００５８】
このように、運用制限項目「高額紙幣入金禁止」を実行した場合には、それ以降に高額紙幣が一般カードに価値付けられることがなくなるので、低額貨幣（千円札以下の紙幣）の使用に伴う短時間の遊技は許容しつつも、閉店間際に一般カードに関連付けられたプリペイド残額を現金に精算するカード精算機（図示せず）に立ち寄る遊技客の数を低減できる。
【００５９】
また、運用制限項目「カード挿入禁止」を実行した場合には、それ以降に他の遊技台からの台移動によって一般カードが挿入されることがなくなり、閉店間際に台移動に伴う遊技が行われることを防止できる。
【００６０】
また、運用制限項目「カード残額使用禁止」を実行した場合には、それ以降に遊技客によって貸し玉が借り受けられることがなくなり、現状でパチンコ機２０の上皿や下皿に貯留するパチンコ玉がなくなった段階でパチンコ機２０の稼働を停止して閉店業務に備えることができる。
【００６１】
また、運用制限項目「カード排出禁止」を実行した場合には、閉店に伴って遊技客の数が少なく、或いはいなくなった状態で従業員がＣＲユニット１０に持ち玉を不正に計数させてその持ち玉をカードに関連付けて排出する不正行為を防止できる。なお、営業時間中にカード排出禁止を実行すると善意の遊技客もカードを排出できなくなるので、運用制限開始時刻は閉店時刻（例えば、本実施例では２３時００分とする）以降に設定するのが好ましい。
【００６２】
図６に示す運用制限パターン２の例では、ＣＲユニット１０を利用する遊技客が非会員であり、かつ持ち玉がある場合には、時刻が２２時４０分になると全ての金種の紙幣の入金を禁止し、２２時４５分になると一般カードのプリペイド残額を使用することを禁止するとともに持ち玉を使用することを禁止し、さらに、２３時００分になるとカードの排出（返却）を禁止することを示している。
【００６３】
このように、運用制限項目「入金禁止」を実行した場合には、それ以降に紙幣が一般カードに関連付けられることがなくなるので、閉店間際に一般カードに関連付けられたプリペイド残額を現金に精算するカード精算機（図示せず）に立ち寄る遊技客の数を低減できることに加え、遊技客によって貸し玉が借り受けられることも防止できる。
【００６４】
また、運用制限項目「持ち玉使用禁止」を実行した場合には、それ以降に持ち玉が遊技客に返却されることがなくなり、現状でパチンコ機２０の上皿や下皿に貯留するパチンコ玉がなくなった段階でパチンコ機２０の稼働を停止して閉店業務に備えることができる。
【００６５】
図７に示す運用制限パターン３の例では、ＣＲユニット１０を利用する会員が一般会員である場合には、時刻が２２時４０分になると全ての金種の紙幣の入金を禁止し、２２時４５分になると会員カードのプリペイド残額を使用することを禁止し、貯玉を再プレイすることを禁止し、さらに持ち玉を使用することを禁止し、また、２３時００分になるとカードの排出（返却）を禁止することを示している。なお、ここで言う一般会員とは、所定期間（例えば３カ月）での遊技店への累計来店回数が所定数（例えば、１０回）未満の会員を指すものとする。なお、一般会員と常連会員の区分は、会員Ｔ／Ｃ４０によって会員ＩＤごとに対応付けて管理されているので問合せにより容易に取得することができる。
【００６６】
このように、運用制限項目「再プレイ禁止」を実行した場合には、それ以降に会員によって貯玉が再プレイされることがなくなり、現状でパチンコ機２０の上皿や下皿に貯留するパチンコ玉がなくなった段階でパチンコ機２０の稼働を停止して閉店業務に備えることができる。
【００６７】
図８に示す運用制限パターン４の例では、ＣＲユニット１０を利用する会員が常連会員である場合には、時刻が２２時５０分になると全ての金種の紙幣の入金を禁止し、また、２３時００分になるとカードの排出（返却）を禁止することを示している。なお、ここで言う常連会員とは、所定期間（例えば３カ月）での遊技店への累計来店回数が所定数（例えば、１０回）以上の会員を指すものとする。
【００６８】
このように、会員および非会員の間で運用制限設定を区別するのは、会員は持ち玉が発生しても持ち玉をそのまま貯玉することができるので、非会員の場合に比べて閉店時刻近くまで遊技を行わせることができ、各運用制限項目の運用制限開始時刻を遅く設定することが可能であるからである。
【００６９】
さらに、一般会員および常連会員の間で運用制限設定を区別するのは、常連会員は累計来店回数が多く会員加入した遊技店のシステムを熟知しているので、一般会員の場合に比べて閉店時刻近くまで遊技を行わせることができ、各運用制限項目の運用制限開始時刻を遅く設定することが可能であるからである。
【００７０】
また、非会員の間でも持ち玉の有無で運用制限設定を区別するのは、持ち玉を保有する遊技客は遊技に持ち玉を使用できるので、持ち玉を保有しない遊技客に比べて運用制限項目「入金禁止」、「高額入金禁止」や「カード残額使用禁止」などの運用制限開始時刻を早く設定することが可能であるからである。
【００７１】
制御部５８は、カードＴ／Ｃ５０を全体制御する制御部であり、例えば、ＡＳＩＣ（Application  Specific  Integrated  Circuit）やＦＰＧＡ（Field  Programmable  Gate  Array）、ＣＰＵ（Central  Processing  Unit）やＭＰＵ（Micro  Processing  Unit）などの電子回路で構成することができる。
【００７２】
制御部５８は、プリペイド残額や持ち玉の更新に関係する機能部を基本機能として有する他、運用制限設定作成部５８ａと、設定配信部５８ｂとを有する。実際には、これらの機能部に対応するプログラムを図示しないＲＯＭや不揮発性メモリに記憶しておき、これらのプログラムをＣＰＵにロードして実行し、運用制限設定作成部５８ａ及び設定配信部５８ｂにそれぞれ対応するプロセスを実行させることになる。
【００７３】
運用制限設定作成部５８ａは、運用制限テンプレート５５または運用制限設定テーブル５７のいずれかのデータと、作成ルール５６とを用いて、運用制限設定を作成する処理部である。具体的には、運用制限設定をはじめて作成する場合には、記憶部５４に運用制限テンプレート５５として記憶された運用制限設定のひな型を表示部５２に表示させ、また、運用制限設定を再作成する場合には、記憶部５４に運用制限設定テーブル５７として記憶された運用制限設定を表示部５２に表示させる。その上で、表示部５２に表示させた画面上で運用制限設定の編集を入力部５１を介して受け付ける。そして、全ての運用制限パターンの運用制限設定が編集されると、編集された運用制限設定が記憶部５４に作成ルール５６に記憶された作成ルールに適合しているか否かを判定する。このとき、作成ルールに適合する場合には、運用制限設定を運用制限設定テーブル５７に設定登録する。
【００７４】
この運用制限設定の編集を具体的に説明する。図９及び図１０は、運用制限設定の編集画面の一例である。図９の例では、運用制限パターン１（非会員＋持ち玉なし）の運用制限設定を編集する場合を示し、また、図１０の例では、運用制限パターン４（常連会員）の運用制限設定を編集する場合を示す。
【００７５】
例えば、運用制限設定をはじめて設定する場合を想定する。この場合には、運用制限設定作成部５８ａは、図３に示した運用制限設定のひな型を運用制限開始時刻ごとに運用制限項目を紐付けて表示させるとともに、運用制限開始時刻の早い順に各運用制限設定を複数の段階に分けて表示部５２に表示させ、その表示画面上にてオーナーや幹部従業員などの管理者による編集を入力部５１を介して受け付ける。なお、かかる運用制限設定の編集は、運用制限パターンごとに受け付けられる。
【００７６】
図９の例では、図３に示した運用制限設定のひな型と比較して、段階１の運用制限開始時刻を「２２時３５分」から「２２時３０分」へ変更するとともに段階２の運用制限開始時刻を「２２時４０分」から「２２時４３分」へ変更し、さらに、段階４の運用制限設定として、従業員不正対応の運用制限項目「カード排出禁止」を運用制限開始時刻「２３時００分（閉店時刻）」に追加する編集が行われている。図９の画面右下のアンダーライン付きの運用制限パターン２〜４のいずれかにマウスのクリック操作がなされると、クリック操作された運用制限パターンに対応する編集画面が表示される。
【００７７】
このように、複数の運用制限項目を異なる運用制限開始時刻に設定すれば、ＣＲユニット１０の全運用を一律に制限するのではなく、運用制限を段階的に実施することができる。例えば、高額紙幣の入金に伴う遊技のように長時間の遊技につながる運用項目に関しては、低額紙幣の入金などのように短時間の遊技に限定される運用項目に比べて運用制限開始時間を前の時刻に定めることで、遊技の終了が閉店時刻間際に収束するように運用制限を行うとことができ、パチンコ機２０の稼働率を最大限に高めつつ、告知業務なしに閉店業務に備えることが可能になる。
【００７８】
そして、運用制限設定作成部５８ａは、図中の「ＯＫ」ボタンのクリック操作（編集終了操作）を受け付けた場合には、運用制限設定作成部５８ａは、記憶部５４に作成ルール５６として記憶された作成ルールに適合しているか否かを判定する。例えば、運用制限設定作成部５８ａは、全ての運用制限開始時刻が規定範囲「２１時００分」〜「２４時００分」までにおさまっているいか否かを判定し、規定範囲におさまっていない場合には、運用制限開始時刻が規定範囲から逸脱している旨を表示部５２に表示させ、運用制限開始時刻の変更を促す。これによって、閉店時刻からの一定範囲以外に運用制限開始時刻が設定される誤操作を防止できる。なお、警告表示を行った上で追認入力を受け付けた場合には、運用制限開始時刻が規定範囲を逸脱していたとしても許容して設定登録を行う。
【００７９】
さらに、運用制限設定作成部５８ａは、規定時刻の収容可否の他、図４に示した作成ルールへの適合可否も判定する。例えば、ＣＲユニット１０に持ち玉がない場合には持ち玉がある場合よりも同一の運用制限項目に紐付ける運用制限開始時刻を「前」にする規定、言い換えれば運用制限パターン１よりも運用設定パターン２の運用制限開始時刻を「後」に定める規定が遵守されているか否かを判定する。また、ＣＲユニット１０を非会員が利用する場合には会員が利用する場合よりも同一の運用制限項目に紐付ける運用制限開始時刻を「前」にする規定、言い換えれば運用制限パターン１及び２よりも運用制限パターン３及び４の運用制限開始時刻を「後」に定める規定が遵守されているか否かを判定する。さらに、ＣＲユニット１０を利用する会員が一般会員である場合には常連会員が利用する場合よりも運用制限開始時刻を「前」にする規定、言い換えれば運用制限パターン３よりも運用制限パターン４の運用制限開始時刻を「後」に定める規定が遵守されているか否かを判定する。
【００８０】
例えば、図１０に示す編集が行われた状態で図中の「ＯＫ」ボタンのクリック操作（編集終了操作）を受け付けた場合には、運用制限設定作成部５８ａは、運用制限パターン１の段階３の運用制限開始時刻「２２時４５分」よりも運用制限パターン４の段階２の運用制限開始時刻「２２時４３分」の設定時刻の方が前であるため、その旨を表示部５２に表示させることにより運用制限開始時刻の変更を促す。警告表示を行った上で追認入力を受け付けた場合には、運用制限開始時刻が先の規定を満たしていなくとも許容して設定登録を行う。
【００８１】
これによって、閉店時刻により近付けて遊技させることができる運用制限パターンほど同一の運用制限項目に関する運用制限開始時刻をより遅く定めることができ、パチンコ機２０の稼働率を最大限に高めつつ、告知業務なしに閉店業務に備えることが可能になる。
【００８２】
設定配信部５８ｂは、運用制限設定テーブル５７に記憶された運用制限設定をＣＲユニット１０へ配信する処理部である。例えば、ＣＲユニット１０が起動されてコネクションが確立された場合や運用制限設定が再作成された場合の他、管理者が入力部５１を介して指示する任意のタイミングで、記憶部５４に運用制限設定テーブル５７ａ〜５７ｄとして記憶された各運用制限パターンの運用制限設定を各ＣＲユニット１０へ配信する。
【００８３】
［ＣＲユニットの構成］
次に、本実施例に係るＣＲユニットの構成について説明する。なお、ここでは、ＣＲユニットの外観構成について説明してから内部構成を説明することとする。
【００８４】
図１１は、本実施例に係るＣＲユニットの外観を示した正面図である。なお、この図１１には、ＣＲユニット１０が併設されたパチンコ機２０を破線で示している。
【００８５】
図１１に示すように、ＣＲユニット１０は、縦長の直方体型の筐体として構成したもので、本体正面の上部から順に、状態表示部１０１と、紙幣挿入部１０２と、リモコン受光部１０３と、タッチパネル１０４と、持ち玉払出部１０５と、カード挿入部１０６と、計数部１５と、受皿部１０７とを有する。
【００８６】
このうち、状態表示部１０１は、ユニットの異常時（例えば、紙幣詰まりやスタックカード不足）などに点灯するＬＥＤであり、紙幣挿入部１０２は、玉貸しのための各種紙幣を受け付ける繰込み／繰出し機構である。
【００８７】
紙幣挿入部１０２の背面には、内部に受け入れた紙幣を識別する紙幣識別部を有しており、この紙幣識別部では、紙幣の金種（例えば、千円、２千円、５千円及び１万円）を識別する。なお、挿入紙幣が識別不能な紙幣または偽造紙幣である場合には紙幣を返却する。
【００８８】
リモコン受光部１０３は、従業員が所持するリモコンが発光する赤外線を受光する受光センサである。タッチパネル１０４は、液晶パネルやディスプレイなどの表示デバイス上で操作入力を受け付けることができる表示可能かつ入力可能なデバイスである。また、持ち玉払出部１０５は、持ち玉を払い出すノズルを備えた投出機構である。
【００８９】
カード挿入部１０６は、一般カードおよび会員カードなどの各種カード類の受付／返却を行う繰込み／繰出し機構である。このカード挿入部１０６の背面には、後述するカード処理部１４が設けられている。
【００９０】
受皿部１０７は、計数部１３に導入する獲得玉を受け入れるものである。この受皿部１０７には、持ち玉数を表示する持ち玉表示部１０７ａと、持ち玉の返却（払戻し）要求を受け付ける持ち玉返却ボタン１０７ｂとが付設されている。なお、持ち玉返却ボタンは、ＣＲユニット本体のタッチパネル１０４に配設されてもよい。また、計数部１５は、受皿部１０７に投入されたパチンコ玉を計数する計数ユニットである。
【００９１】
一方、パチンコ機２０には、パチンコ遊技に使用するパチンコ玉を貯留する上皿２１０と、上皿２１０の許容容量を超えて溢れたパチンコ玉を貯留する下皿２２０とが設けられており、この上皿２１０には、一般カードのプリペイド残額等を表示する７ＳＥＧ表示部２１１と、玉貸し要求を受け付ける玉貸しボタン２１２と、一般カードや会員カードの返却要求を受け付けるカード返却ボタン２１３とがさらに設けられている。
【００９２】
なお、本実施例では、玉貸しボタン２１２及びカード返却ボタン２１３をパチンコ機２０に設けることとしたが、必ずしもパチンコ機２０側に設ける必要はなく、ＣＲユニット１０に設けることとしてもよい。
【００９３】
パチンコ玉を借り受ける際には、遊技客がパチンコ機２０側の玉貸しボタン２１２を押下操作すると、玉貸し操作信号がＣＲユニット１０に転送されてＣＲユニット１０側で玉貸し操作が受け付けられる。このとき、プリペイド残額が存在する場合には、ＣＲユニット１０からパチンコ機２０に玉投出指示が行われて貸し玉が上皿２１０に投出されることになる。
【００９４】
獲得玉を計数する際には、パチンコ機２０の下皿２２０から獲得玉を受皿部１０７に投入すると、その投入玉が計数部１５に誘導されて獲得玉の数量が計数される。そして、遊技者が持ち玉返却ボタン１０７ｂを押下すると、後述する記憶部１６によって持ち玉１６ａとして記憶管理されている持ち玉数の範囲内であれば、払戻し単位玉数等の持ち玉が持ち玉払出部１０５経由でパチンコ機２０の上皿２１０に投出される。
【００９５】
なお、本実施例では、貸し玉をパチンコ機２０経由で投出させ、持ち玉を持ち玉払出部１０５経由で投出させる場合について説明したが、持ち玉をパチンコ機２０経由で投出させることとしてもよいし、また、貸し玉を持ち玉払出部１０５経由で投出させることとしてもかまわない。また、逆に、持ち玉の払出を貸玉の払出と同様に遊技台から払出すようにしてもよい。その場合は持ち玉払出部１０５は不要になる。会員が自らの口座にある貯玉の払出しも持ち玉と同様の方法で払い出すことができる。
【００９６】
図１２は、本実施例に係るＣＲユニットの内部構成を示す機能ブロック図である。なお、実際のＣＲユニット１０では、図示した機能部以外の機能部（例えば、ＢＶユニット、プリペイド残額の更新部など）を有するが、図４では、本実施例に係るＣＲユニット１０の特徴を説明するために必要な構成要素のみを抜粋している。
【００９７】
図１２に示すように、ＣＲユニット１０は、操作部１１と、通信Ｉ／Ｆ部１３ａと、遊技機用通信Ｉ／Ｆ部１３ｂと、カード処理部１４と、計数部１５と、記憶部１６と、制御部１７とを有する。
【００９８】
操作部１１は、図１１に示したタッチパネル１０４及び持ち玉返却ボタン１０７ｂをはじめとした各種マンマシンインタフェースを含む。
【００９９】
通信Ｉ／Ｆ部１３ａは、島コントローラ３０、会員Ｔ／Ｃ４０やカードＴ／Ｃ５０などの他の装置の間で各種通信を行うためのインタフェースである。
【０１００】
遊技機用通信Ｉ／Ｆ部１３ｂは、当該ＣＲユニット１０に併設されるパチンコ機２０との間で各種通信（例えば、玉貸し要求や玉投出指示など）を行うためのインタフェースである。
【０１０１】
カード処理部１４は、一般カードや会員カード等のカードに記録された情報を読み取る読取装置であり、カード挿入部１０６を介して挿入されたカードを受け付け、該受け付けたカードからデータを読み取る。
【０１０２】
カード処理部１４は、プリペイド残額及び持ち玉が関連付けられていない一般カードを予め複数枚収納しており、カード返却操作がなされるまでに現金投入によりプリペイド残額が発生したり、或いは遊技により持ち玉が発生していた場合には、プリペイド残額及び／又は持ち玉が関連付けられた一般カードをカード挿入部１０６から排出（返却）する。
【０１０３】
計数部１５は、受皿部１０７に投入されたパチンコ玉を計数する計数ユニットであり、具体的には、計数部１５の内部に自然勾配を有する複数の玉通路（レーン）が設けられており、このレーンを通過する獲得玉の通過を計数センサで検知し、該検知した獲得玉の通過通知（計数出力）を後述する持ち玉管理部１７ｂに行う。
【０１０４】
記憶部１は、制御部１７による各種処理に必要なデータおよびプログラムを記憶する不揮発性メモリ等の記憶デバイスであり、例えば遊技客が現時点で保有する残存持ち玉数を示すデータである持ち玉１６ａと、各運用制限パターン別の運用制限設定を記憶した運用制限設定テーブル１６ｂとを併せて記憶する。なお、この運用制限設定テーブル１６ｂは、カードＴ／Ｃ５０の設定配信部５８ｂによって配信された運用制限設定テーブル５７ａ〜５７ｄが後述の運用制限処理部１７ｅによって登録される。
【０１０５】
制御部１７は、ＣＲユニット１０を全体制御する制御部であり、例えば、ＡＳＩＣ（Application  Specific  Integrated  Circuit）やＦＰＧＡ（Field  Programmable  Gate  Array）、ＣＰＵ（Central  Processing  Unit）やＭＰＵ（Micro  Processing  Unit）などの電子回路で構成することができる。
【０１０６】
制御部１７は、残額更新依頼部１７ａと、持ち玉管理部１７ｂと、貯玉更新依頼部１７ｃと、カード挿入／返却制御部１７ｄと、運用制限処理部１７ｅとを有する。実際には、これらの機能部に対応するプログラムを図示しないＲＯＭや不揮発性メモリに記憶しておき、これらのプログラムをＣＰＵにロードして実行し、残額更新依頼部１７ａ、持ち玉管理部１７ｂ、貯玉更新依頼部１７ｃ、カード挿入／返却制御部１７ｄ及び運用制限処理部１７ｅにそれぞれ対応するプロセスを実行させることになる。
【０１０７】
このうち、残額更新依頼部１７ａは、プリペイド残額の加算または減算をカードＴ／Ｃ５０へ依頼する処理部である。具体的には、玉貸しボタン２１２の押下操作（玉貸し操作）を受け付けた場合に、貸出単位金額（例えば、５００円）の減算依頼をカードＴ／Ｃ５０に行う。また、紙幣挿入部１０２から紙幣の入金を受け付けた場合には、紙幣の価値付け依頼（加算依頼）をカードＴ／Ｃ５０に行う。なお、これら減算依頼および加算依頼には、カードＩＤとともにカードＴ／Ｃ５０へ送信され、カードＴ／Ｃ５０ではそのカードＩＤに対応するプリペイド残額の更新が実行される。
【０１０８】
この残額更新依頼部１７ａは、カードＴ／Ｃ５０から減算完了応答が得られた場合に、パチンコ機２０に玉投出指示を行う。具体的には、遊技機用通信Ｉ／Ｆ部１３ｂとパチンコ機２０内の通信Ｉ／Ｆ部（図示せず）との両者の間でＣＲユニット１０による１度の玉投出指示で所定数（例えば、１玉４円で玉貸しを行う場合は２５個＝１度数（１００円））のパチンコ玉をパチンコ機２０が投出するという規定が設定されており、挿入中のカードの残度数から貸出単位金額が減算されると、当該度数に相当する回数の玉投出指示をパチンコ機２０に行い、パチンコ機２０に貸出単位度数分のパチンコ玉（この例では、５００円分の１２５個）を投出させる。
【０１０９】
持ち玉管理部１７ｂは、持ち玉（残存計数値）の管理を行う処理部である。具体的には、記憶部１６に持ち玉１６ａとして記憶された持ち玉数に対する加算処理または減算処理を行う。
【０１１０】
例えば、持ち玉管理部１７ｂは、計数部１５から計数出力を受け付けた場合に、記憶部１６に持ち玉１６ａとして記憶された持ち玉数に計数出力の回数に相当する玉数を加算更新する。
【０１１１】
一方、持ち玉管理部１７ｂは、持ち玉返却ボタン１０７ｂの押下操作を受け付けた場合に、記憶部１６に持ち玉１６ａとして記憶された持ち玉数から払戻し単位玉数を減算更新し、払戻し単位玉数分のパチンコ玉を持ち玉払出部１０５経由で上皿２１０に投出させる。なお、持ち玉の減算更新時において持ち玉数が払戻し単位玉数に満たない場合には全持ち玉数を減算更新し、また、持ち玉数がゼロである場合には以降の動作を実行しない。
【０１１２】
また、持ち玉管理部１７ｂは、パチンコ機２０のカード返却ボタン２１３の押下操作を受け付けた場合に、記憶部１６に持ち玉１６ａとして記憶された持ち玉数と、カード処理部１４によって収納されたスタックカード（一般カード）のうち遊技価値の関連付け対象とされる一般カードまたは会員カードのカードＩＤとを含む持ち玉の登録依頼をカードＴ／Ｃ５０に行う。このようにして、カードＴ／Ｃ５０にてカードＩＤに対応付けて持ち玉数が登録されることにより、持ち玉が一般カードまたは会員カードに関連付けられることになる。
【０１１３】
貯玉更新依頼部１７ｃは、貯玉の加算または減算を会員Ｔ／Ｃ４０へ依頼する処理部である。具体的には、ＣＲユニット１０が会員カードを受入中である場合にタッチパネル１０４上に表示される再プレイボタンの押下操作（玉貸し操作）を受け付けた場合には、例えば１２５個（例えば、５００円相当）などの再プレイ単位玉数の減算依頼を会員Ｔ／Ｃ４０に行う。また、タッチパネル１０４上に表示される再プレイボタンの押下操作（玉貸し操作）を受け付けた場合には、記憶部１６に持ち玉１６ａとして記憶された持ち玉数を該当する貯玉残高に加算する加算依頼を会員Ｔ／Ｃ４０に行う。なお、これら減算依頼および加算依頼には、カードＩＤとともに会員Ｔ／Ｃ４０へ送信され、会員Ｔ／Ｃ４０ではそのカードＩＤに対応する貯玉の更新が実行される。
【０１１４】
この貯玉更新依頼部１７ｃは、会員Ｔ／Ｃ４０から減算完了応答が得られた場合に、パチンコ機２０に玉投出指示を行う。具体的には、挿入中の会員カードの貯玉残高から再プレイ単位玉数が減算されると、当該再プレイ単位玉数に相当する回数の玉投出指示をパチンコ機２０に行い、パチンコ機２０に再プレイ単位玉数分のパチンコ玉（この例では、５００円分の１２５個）を投出させる。
【０１１５】
カード挿入／返却制御部１７ｄは、カード挿入部１０６を介して一般カードまたは会員カードの挿入／返却を制御する処理部である。
【０１１６】
運用制限処理部１７ｅは、運用制限設定テーブル１６ｂを用いて、ＣＲユニット１０の運用制限を実行する処理部である。具体的には、運用制限処理部１７ｅは、運用制限パターンが切り替えられるイベント（以下、切替えイベントと言う）の発生を監視しており、切替えイベントが発生した場合に、ＣＲユニット１０に適用すべき運用制限パターンを判別する。そして、運用制限処理部１７ｅは、判別した運用制限パターンの各段階の運用制限開始時刻と現在の時刻に基づき、現在の時点で実施すべき運用制限設定の段階を特定する。その後、運用制限処理部１７ｅは、現在の時刻が次の段階の運用制限開始時刻に到達したか否かを監視するとともに、運用制限パターンの切替えイベントの発生を監視する。
【０１１７】
この運用制限処理部１７ｅは、運用制限パターンの切替えイベントとして、カードの挿入または返却を監視しており、カードの挿入または返却を契機に運用制限パターンの判別を行う。具体的には、ＣＲユニット１０にカードが挿入されていない場合、或いはカードが挿入されていたとしても一般カードである場合には、非会員がＣＲユニット１０で遊技を行っているもの（運用制限パターン１または２のいずれかの運用制限パターン）と判別する。さらに、記憶部１６に持ち玉１６ａが登録されていない場合には、運用制限パターン１（非会員＋持ち玉なし）と判別し、記憶部１６に持ち玉１６ａが登録されている場合には、運用制限パターン２（非会員＋持ち玉あり）と判別する。一方、ＣＲユニット１０に会員カードが挿入されている場合には、会員がＣＲユニット１０で遊技を行っているもの（運用制限パターン３または４のいずれかの運用制限パターン）と判別する。さらに、会員カードの会員カードＩＤに対応する会員が一般会員または常連会員のいずれの会員であるかを会員Ｔ／Ｃ４０に問い合わせ、その問合せ結果が一般会員である場合には、運用制限パターン３（一般会員）と判別し、また、常連会員である場合には、運用制限パターン４（常連会員）と判別する。
【０１１８】
また、運用制限処理部１７ｅは、ＣＲユニット１０に対する各種の操作を受け付けたとしても現在の時点で実施対象とする運用制限設定に対応する処理についてはその実行を禁止する。なお、運用制限処理部１７ｅは、現在の時点で実施対象とする運用制限設定をタッチパネル１０４に表示させる処理も併せて行う。
【０１１９】
例えば、運用制限項目「高額入金禁止」が運用制限の実施対象である場合には、高額紙幣が紙幣挿入部１０２から挿入されたとしても残額更新依頼部１７ａによるプリペイド残額の加算依頼は実行させずに高額紙幣をそのまま返却させる。運用制限項目「カード挿入禁止」が運用制限の実施対象である場合には、カード挿入部１０６へカードが挿入されたとしてもカード挿入／返却部１７ｄにそのままカードを返却させる。運用制限項目「カード残額使用禁止」が運用制限の実施対象である場合には、玉貸しボタン２１２の押下操作がなされた場合でも残額更新依頼部１７ａによるプリペイド残額の減算依頼は実行させない。運用制限項目「カード排出禁止」が運用制限の実施対象である場合には、カード返却ボタン２１３の押下操作がなされたとしてもカード挿入部１０６へカードが挿入された場合でもカード挿入／返却部１７ｄに挿入中のカードを返却させない。運用制限項目「持ち玉使用禁止」が運用制限の実施対象である場合には、持ち玉返却ボタン１０７ｂの押下操作がなされた場合でも持ち玉管理１７ｂによる持ち玉の減算処理および投出処理は実行させない。また、運用制限項目「再プレイ禁止」が運用制限の実施対象である場合には、タッチパネル１０４上で再プレイボタンの押下操作がなされた場合でも貯玉更新依頼部１７ｃによる貯玉の減算処理および投出処理は実行させない。
【０１２０】
［処理の流れ］
次に、本実施例に係る各台計数システムの処理の流れについて説明する。なお、ここでは、カードＴ／Ｃ５０によって行われる（１）運用制限設定作成処理を説明した後に、ＣＲユニット１０によって行われる（２）運用制限段階引上げ処理を説明し、最後に、ＣＲユニット１０によって行われる運用制限処理（３）を説明することとする。
【０１２１】
（１）運用制限設定作成処理
前述したように、ここでは、本実施例に係る運用制限設定作成処理について説明する。図１３は、本実施例に係る運用制限設定作成処理の手順を示すフローチャートである。この運用制限設定作成処理は、運用制限設定の作成または再作成の要求を入力部５１を介して受け付けた場合に開始される。
【０１２２】
図１３に示すように、運用制限設定作成部５８ａは、記憶部５４に運用制限テンプレート５５として記憶された運用制限設定のひな型、または、記憶部５４に運用制限設定テーブル５７として記憶された運用制限設定を表示部５２に表示させ（ステップＳ１０１）、表示部５２に表示させた画面上で運用制限設定の編集を入力部５１を介して受け付ける（ステップＳ１０２）。
【０１２３】
その後、全ての運用制限パターンの運用制限設定が編集されると、運用制限設定作成部５８ａは、編集された運用制限設定が記憶部５４に作成ルール５６に記憶された作成ルールに適合しているか否かを判定する（ステップＳ１０３）。
【０１２４】
ここで、運用制限設定が作成ルールに適合しない場合（ステップＳ１０３肯定）には、運用制限設定作成部５８ａは、作成ルールに不適合のまま設定登録を行う追認入力を受け付けない限りは（ステップＳ１０４否定）、運用制限設定の再編集を入力部５１を介して受け付ける（ステップＳ１０２）。
【０１２５】
一方、運用制限設定が作成ルールに適合する場合（ステップＳ１０３否定）には、運用制限設定作成部５８ａは、各運用制限パターン別の運用制限設定を運用制限設定テーブル５７ａ〜５７ｄに設定登録し（ステップＳ１０５）、処理を終了する。
【０１２６】
なお、運用制限設定が作成ルールに適合しない場合に追認入力を受け付けた場合（ステップＳ１０３肯定かつＳ１０４肯定）にも、各運用制限パターン別の運用制限設定を運用制限設定テーブル５７ａ〜５７ｄに設定登録し（ステップＳ１０５）、処理を終了する。
【０１２７】
（２）運用制限段階引上げ処理
次に、本実施例に係る運用制限段階引上げ処理について説明する。図１４は、本実施例に係る運用制限段階引上げ処理の手順を示すフローチャートである。この処理は、ＣＲユニット１０の電源がＯＮ状態である場合に再帰的に実行される処理である。
【０１２８】
図１４に示すように、運用制限処理部１７ｅは、運用制限パターンが切り替えられる切替えイベント、例えばカードの挿入操作や返却操作の発生を監視しており（ステップＳ３０１）、切替えイベントが発生すると（ステップＳ３０１肯定）、ＣＲユニット１０に適用すべき運用制限パターンを判別する（ステップＳ３０２）。なお、切替えイベントが発生していない場合（ステップＳ３０１否定）には、後述のステップＳ３０４へ移行する。
【０１２９】
続いて、運用制限処理部１７ｅは、このようにして判別した運用制限パターンの各段階の運用制限開始時刻と現在の時刻に基づき、現在の時点で実施すべき運用制限設定の段階を特定する（ステップＳ３０３）。
【０１３０】
その後、運用制限処理部１７ｅは、現在の時刻が次の段階の運用制限開始時刻に到達したか否かを監視し（ステップＳ３０４）、次の段階の運用制限開始時刻に到達したならば（ステップＳ３０４肯定）、現在の時点で実施対象とする運用制限設定の実施段階を引き上げ（ステップＳ３０５）、ステップＳ３０１の処理に移行し、上記のステップＳ３０１〜Ｓ３０５の処理を繰り返し行う。
【０１３１】
なお、次の段階の運用制限開始時刻に到達していないならば（ステップＳ３０４否定）、運用制限処理部１７ｅは、運用制限設定の実施段階の引き上げを行わず、そのままステップＳ３０１の処理に移行し、上記のステップＳ３０１〜Ｓ３０５の処理を繰り返し行う。
【０１３２】
（３）運用制限処理
次に、本実施例に係る運用制限処理について説明する。図１５は、本実施例に係る運用制限処理の手順を示すフローチャートである。この処理は、ＣＲユニット１０の電源がＯＮ状態である場合に再帰的に実行される処理である。
【０１３３】
図１５に示すように、入金イベントが発生した場合、例えば紙幣が紙幣挿入部１０２から挿入された場合（ステップＳ５０１肯定）には、運用制限処理部１７ｅは、現在の時点で実施対象とする運用制限設定に「入金禁止」が含まれるか、すなわち「入金禁止」が有効であるか否かを判定する（ステップＳ５０２）。
【０１３４】
このとき、「入金禁止」が有効である場合（ステップＳ５０２肯定）には、運用制限処理部１７ｅは、紙幣挿入部１０２から紙幣を返却させ（ステップＳ５０３）、上記のステップＳ５０１の処理に戻る。
【０１３５】
また、「入金禁止」が有効でない場合（ステップＳ５０２否定）には、運用制限処理部１７ｅは、「高額入金禁止」が有効であるか否かをさらに判定する（ステップＳ５０４）。
【０１３６】
このとき、「高額入金禁止」が有効であれば（ステップＳ５０４肯定）、運用制限処理部１７ｅは、低額紙幣の入金だけを許可し、入金紙幣が高額紙幣である場合には高額紙幣を紙幣挿入部１０２から返却させ（ステップＳ５０５）、上記のステップＳ５０１の処理を戻る。
【０１３７】
一方、「高額入金禁止」が有効でなければ（ステップＳ５０４否定）、運用制限処理部１７ｅは、紙幣の入金を許可し（ステップＳ５０６）、残額更新依頼部１７ａによるプリペイド残額の加算依頼は実行させ、ステップＳ５０７の処理へ移行する。
【０１３８】
また、入金イベントが発生していない場合（ステップＳ５０１否定）には、運用制限処理部１７ｅは、カード挿入イベントの発生可否、例えばカード挿入部１０６へカードが挿入されたか否かを監視する（ステップＳ５０７）。
【０１３９】
このとき、カード挿入イベントが発生した場合（ステップＳ５０７肯定）には、運用制限処理部１７ｅは、「カード挿入禁止」が有効であるか否かをさらに判定する（ステップＳ５０８）。
【０１４０】
そして、「カード挿入禁止」が有効である場合（ステップＳ５０８肯定）には、運用制限処理部１７ｅは、カード挿入部１０６からカードの挿入を禁止し（ステップＳ５０９）、カードを排出（返却）させ、上記のステップＳ５０１の処理に戻る。
【０１４１】
一方、「カード挿入禁止」が有効でない場合（ステップＳ５０８否定）には、運用制限処理部１７ｅは、カードの挿入を許可し（ステップＳ５１０）、カード挿入／返却部１７ｄにカードを受け入れさせ、ステップＳ５１１の処理へ移行する。
【０１４２】
また、カード挿入イベントが発生していない場合（ステップＳ５０７否定）には、運用制限処理部１７ｅは、カード排出イベントの発生可否、例えばカード返却ボタン２１３の押下操作の有無を監視する（ステップＳ５１１）。
【０１４３】
このとき、カード排出イベントが発生した場合（ステップＳ５１１肯定）には、運用制限処理部１７ｅは、「カード排出禁止」が有効であるか否かをさらに判定する（ステップＳ５１２）。
【０１４４】
そして、「カード排出禁止」が有効である場合（ステップＳ５１２肯定）には、運用制限処理部１７ｅは、カード排出を禁止し（ステップＳ５１３）、カード挿入／返却部１７ｄに挿入中のカードを返却させず、上記のステップＳ５０１の処理に戻る。
【０１４５】
一方、「カード排出禁止」が有効でない場合（ステップＳ５１２否定）には、運用制限処理部１７ｅは、カード排出を許可し（ステップＳ５１４）、カード挿入／返却部１７ｄに挿入中のカードを返却させ、ステップＳ５１５の処理へ移行する。
【０１４６】
また、カード排出イベントが発生していない場合（ステップＳ５１１否定）には、運用制限処理部１７ｅは、持ち玉使用イベントの発生可否、例えば持ち玉返却ボタン１０７ｂの押下操作の有無を監視する（ステップＳ５１５）。
【０１４７】
このとき、持ち玉使用イベントが発生した場合（ステップＳ５１５肯定）には、運用制限処理部１７ｅは、「持ち玉使用禁止」が有効であるか否かを判定する（ステップＳ５１６）。
【０１４８】
そして、「持ち玉使用禁止」が有効である場合（ステップＳ５１６肯定）には、運用制限処理部１７ｅは、持ち玉管理１７ｂによる持ち玉の減算および投出を禁止し（ステップＳ５１７）、上記のステップＳ５０１の処理に戻る。
【０１４９】
一方、「持ち玉使用禁止」が有効でない場合（ステップＳ５１６否定）には、運用制限処理部１７ｅは、持ち玉使用を許可し（ステップＳ５１８）、持ち玉管理１７ｂによる持ち玉の減算および投出を実行させ、ステップＳ５１９の処理へ移行する。
【０１５０】
また、持ち玉使用イベントが発生していない場合（ステップＳ５１５否定）には、運用制限処理部１７ｅは、再プレイイベントの発生可否、例えばタッチパネル１０４上での再プレイボタンの押下操作の有無を監視する（ステップＳ５１９）。
【０１５１】
このとき、再プレイイベントが発生した場合（ステップＳ５１９肯定）には、運用制限処理部１７ｅは、「再プレイ禁止」が有効であるか否かを判定する（ステップＳ５２０）。
【０１５２】
そして、「再プレイ禁止」が有効である場合（ステップＳ５２０肯定）には、運用制限処理部１７ｅは、貯玉更新依頼部１７ｃによる貯玉の減算および投出を禁止し（ステップＳ５２１）、上記のステップＳ５０１の処理に戻る。
【０１５３】
一方、「再プレイ禁止」が有効でない場合（ステップＳ５２０否定）には、運用制限処理部１７ｅは、再プレイを許可し（ステップＳ５２２）、貯玉更新依頼部１７ｃによる貯玉の減算および投出を実行させ、上記のステップＳ５０１の処理に戻る。
【０１５４】
上述してきたように、本実施例に係るカードＴ／Ｃ５０によれば、一般カードや会員カードなどの各種のカードの取扱い制御またはパチンコ玉の投出制御に係るＣＲユニット１０の運用を制限する運用制限項目と、その運用制限項目に関する運用制限を開始する運用制限開始時刻とを対応付けた運用制限設定を作成するように構成したので、遊技店の従業員の閉店業務を簡素化することが可能である。
【０１５５】
また、本実施例に係るカードＴ／Ｃ５０によれば、運用制限パターンごとに運用制限設定を作成するように構成したので、異なる条件間で同一の運用制限項目につき異なる運用制限開始時刻を設定することができ、運用制限を多面的に設定することが可能になる。
【０１５６】
また、上記の実施例では、運用制限テンプレート５５を編集させたり、運用制限設定テーブル５７に記憶された運用制限設定を編集させることにより、運用制限設定を作成する場合を説明したが、この他にも閉店時刻の入力を受け付けるだけで運用制限設定を作成することもできる。
【０１５７】
すなわち、カードＴ／Ｃ５０では、運用制限項目ごとに遊技店の閉店時刻からの時間間隔を対応付けて記憶したテーブルを用意しておき、入力部５１を介して受け付けられた閉店時刻と、先のテーブルに記憶した時間間隔とに基づき、各運用制限項目ごとの運用制限開始時刻を算出することもできる。例えば、図１６に示す例では、入力された閉店時刻から３０分前の時間を算出することで、運用制限項目「高額入金禁止」の運用制限開始時刻を求めることができる。また、入力された閉店時刻から１７分前の時間を算出することで、運用制限項目「カード挿入禁止」の運用制限開始時刻を求めることができる。また、入力された閉店時刻から１５分前の時間を算出することで、運用制限項目「カード残額使用禁止」の運用制限開始時刻を求めることができる。さらに、入力された閉店時刻から０分前の時間を算出することで、運用制限項目「カード排出禁止」の運用制限開始時刻を求めることができる。これによって、閉店時刻の入力を受け付けるだけで運用制限設定を作成することができ、運用制限の設定作業を効率化することができる。
【０１５８】
また、上記の実施例では、持ち玉の有無、会員／非会員の可否や常連／一般などの条件分けによって運用制限パターンを区別することとしたが、この他の条件分けにより運用制限パターンを区別することもできる。
【０１５９】
例えば、ＣＲユニット１０におけるパチンコ玉の貸出レート別に運用制限パターンを区別することもできる。一例としては、貸出レート１（１玉４円）＞貸出レート２（１玉１円）の２つの貸出レートを１つの店舗で実施するケースを想定した時、同じ金額で貸し出しを行う場合でも貸出レート１で遊技される場合の方がより早くパチンコ玉が消化されるので、貸出レート２（貸出レートが低い方）に比べて閉店時刻近くまで遊技を行わせることができ、各運用制限項目の運用制限開始時刻を遅く設定できる。
【０１６０】
また、ＣＲユニット１０を利用する会員がカード会員または携帯会員のいずれであるかによって運用制限パターンを区別することもできる。すなわち、携帯電話やＰＨＳなどの携帯端末を会員カードの代わりに使用させる携帯会員のシステムを導入している遊技店も多く、かかる携帯会員には、カードやＩＣコインなどの会員用記録媒体を付与する必要がない。このため、遊技店では、携帯会員を優遇してカード会員と差別化を図りたい要望から、携帯会員にだけＣＲユニット１０における持ち玉の貯玉を認めている遊技店も多い。このような運用を採用する遊技店では、携帯会員はＣＲユニット１０に持ち玉が存在する場合でも持ち玉を携帯端末に関連付けて貯玉することにより短時間での退店が可能であるため、カード会員に比べて閉店時刻近くまで遊技を行わせることができ、各運用制限項目の運用制限開始時刻を遅く設定できる。
【０１６１】
また、上記の実施例では、カードＴ／Ｃ５０で図５〜図８に示した運用制限設定を作成し、ＣＲユニット１０でその運用制限設定にしたがって運用制限を実行させる場合を説明したが、運用制限項目は図５〜図８に示したものに限定されない。
【０１６２】
例えば、ＣＲユニット１０の記憶部１６に持ち玉１６ａとして記憶された持ち玉の一部をスタックカード（一般カード）に関連付けて分割発行する持ち玉分割機能を搭載したＣＲユニットを採用する遊技店も存在する。このような持ち玉分割機能を搭載すれば、持ち玉を保有する遊技客が他の遊技客に持ち玉の一部を譲渡することができるが、かかる持ち玉分割が閉店時刻間際に実行された場合には、「カード残額使用禁止」などの運用制限項目を有効にしたとしても分割発行されたカードで遊技が行われてしまう。このような事態を防止するために、本発明では、運用制限項目に「持ち玉分割禁止」を設けることもできる。
【０１６３】
また、上記の実施例では、持ち玉の有無で運用制限パターンを区別する場合を説明したが、有無ではなく、所定の閾値を用いて、持ち玉数が所定値以下である場合と所定値を超過する場合とで運用制限パターンを区別することもできる。また、かかる閾値による運用制限パターンの区別は持ち玉に限定されるものではなく、再プレイ玉数、持ち玉分割玉数やプリペイド残額で運用制限パターンを区別する場合にも同様に適用することができる。
【０１６４】
なお、上記の実施例では、プリペイド残額および持ち玉の両方をカードＴ／Ｃ５０で管理する場合を例示したが、本発明はこれに限定されるものではなく、カードＴ／Ｃを持ち玉Ｔ／Ｃおよび残額Ｔ／Ｃとして分散して構成することもできる。これに関連して、上記の実施例では、プリペイド残額と持ち玉の両方を１つのカードに関連付ける場合を説明したが、これらを持ち玉カードとプリペイドカードの２つに分けてもよい。また、上記の実施例では、会員Ｔ／Ｃ４０とカードＴ／Ｃ５０を分散して構成する場合を例示したが、プリペイド残額、持ち玉および貯玉を管理する価値管理Ｔ／Ｃとして統合して構成することもできる。
【０１６５】
また、カードＴ／Ｃと会員Ｔ／Ｃが管理するデータベースは上記の実施例に記載の通りに区分されるだけでなく、そのどちらで管理するようにしてもよい。例えば、持ち玉管理テーブルなどの持ち玉に関する持ち玉ＤＢを会員Ｔ／Ｃで管理するようにししてもよい。また、Ｔ／Ｃは２つに分けて記載したが、２つのＴ／Ｃの機能を持った１つのＴ／Ｃとしてもよく、プリペイド残額、持ち玉、貯玉をそれぞれ管理する３つのＴ／Ｃとして個別に構成してもよい。
【０１６６】
また、上記の実施例では、ＣＲユニットで有価価値として紙幣を受け付ける場合を説明したが、本発明はこれに限定されるものではない。例えば、有価価値として紙幣だけでなく、硬貨、電子マネー、その他の価値を有するものであれば何でもよい。
【０１６７】
また、上記の実施例では、運用制限項目「高額紙幣入金禁止」として千円よりも価値が大きい紙幣の入金を禁止する場合を説明したが、入金禁止を行う価値の多寡は千円に限定されるものではなく、高額である必要も紙幣である必要も紙幣価値である必要もない。一例としては、５００円よりも上の金額などの他の具体的な金額であってもよいし、持ち玉や貯玉数（例えば５００玉）であってもよい。こうすることで、ＣＲユニットに投入することが可能な有価価値が紙幣だけでなく、硬貨や電子マネーであっても対応できるようになるし、また、低レート運用のコーナーにもフレキシブルに対応することができる。
【０１６８】
また、上記の実施例では、カード処理ユニットの内下部に計数部１５を含んで計数機能付きＣＲユニットとして構成する場合について説明したが、ＣＲユニット１０とは独立して計数装置（計数ユニット）を設けることもできる。例えば、パチンコ機２０の下皿２２０の下部にある膳板上に計数装置を設けるタイプの各台計数システムにも本発明を同様に適用することができる。なお、この場合には、計数装置とＣＲユニット１０は通信可能に接続される。
【産業上の利用可能性】
【０１６９】
以上のように、本発明に係る遊技管理装置、各台対応装置及びその運用制限設定方法は、遊技店の従業員の閉店業務を簡素化する場合に適している。
【符号の説明】
【０１７０】
１０    ＣＲユニット
１１    操作部
１３ａ  通信Ｉ／Ｆ部
１３ｂ  遊技機用通信Ｉ／Ｆ部
１４    カード処理部
１５    計数部
１６    記憶部
１６ａ  持ち玉
１６ｂ  運用制限設定テーブル
１７    制御部
１７ａ  残額更新依頼部
１７ｂ  持ち玉管理部
１７ｃ  貯玉更新依頼部
１７ｄ  カード挿入／返却部
１７ｅ  運用制限処理部
２０    パチンコ機
３０    島コントローラ
４０    会員Ｔ／Ｃ
５０    カードＴ／Ｃ
５１    入力部
５２    表示部
５３    通信Ｉ／Ｆ部
５４    記憶部
５５    運用制限テンプレート
５６    作成ルール
５７    運用制限設定テーブル
５８    制御部
５８ａ  運用制限設定作成部
５８ｂ  設定配信部
【図１】
2011120692.tif 000003
【図２】
2011120692.tif 000004
【図３】
2011120692.tif 000005
【図４】
2011120692.tif 000006
【図５】
2011120692.tif 000007
【図６】
2011120692.tif 000008
【図７】
2011120692.tif 000009
【図８】
2011120692.tif 000010
【図９】
2011120692.tif 000011
【図１０】
2011120692.tif 000012
【図１１】
2011120692.tif 000013
【図１２】
2011120692.tif 000014
【図１３】
2011120692.tif 000015
【図１４】
2011120692.tif 000016
【図１５】
2011120692.tif 000017
【図１６】
2011120692.tif 000018